(57)【特許請求の範囲】
【請求項１】
所定の試験信号を移動端末（１）に出力して前記移動端末を試験する移動端末試験装置（１０）であって、
前記移動端末を試験するために設定可能な全ての設定項目を表示する全設定項目表示手段（３１）と、
前記全ての設定項目のうち試験者が登録した設定項目を表示する登録項目表示手段（３２）と、
前記全ての設定項目のうち過去に設定された設定項目の履歴を表示する履歴表示手段（３３）と、
前記登録項目表示手段及び前記履歴表示手段の少なくとも一方が表示する設定項目の表示順序及び設定項目の削除に関する処理の少なくとも一方を前記試験者の指示に従って処理する設定項目表示処理手段（３５）と、
前記全設定項目表示手段、前記登録項目表示手段及び前記履歴表示手段の少なくとも１つによって表示された設定項目のうち前記試験者が選択した設定項目に関する試験を実行する試験実行手段（５１）と、
を備えたことを特徴とする移動端末試験装置。
【請求項２】
前記設定項目表示処理手段は、前記試験者が過去に使用した設定項目の使用頻度に基づいて、前記登録項目表示手段及び前記履歴表示手段の少なくとも一方が表示する設定項目の表示順序を並び替えるものであることを特徴とする請求項１に記載の移動端末試験装置。
【請求項３】
前記設定項目表示処理手段は、前記試験者が過去に使用した設定項目が選択された時刻を示す選択時刻に基づいて、前記登録項目表示手段及び前記履歴表示手段の少なくとも一方が表示する設定項目の表示順序を並び替えるものであることを特徴とする請求項１に記載の移動端末試験装置。
【請求項４】
前記設定項目表示処理手段は、予め定められた設定項目のグループごとに、前記登録項目表示手段及び前記履歴表示手段の少なくとも一方が表示する設定項目の表示順序を並び替えるものであることを特徴とする請求項１に記載の移動端末試験装置。
【請求項５】
前記設定項目表示処理手段は、前記登録項目表示手段及び前記履歴表示手段の少なくとも一方が表示する設定項目のうち前記試験者が指定した設定項目を消去するものであることを特徴とする請求項１に記載の移動端末試験装置。
【請求項６】
所定の試験信号を移動端末（１）に出力して前記移動端末を試験する移動端末試験装置（１０）であって、
前記移動端末を試験するために設定可能な全ての設定項目を階層化して記憶する全設定項目記憶手段（４１）と、
前記全設定項目記憶手段に記憶された前記全ての設定項目を階層化して表示する全設定項目表示手段（３１）と、
前記全ての設定項目のうち特定の設定項目を表示する特定項目表示手段（３２、３３）と、
前記全設定項目表示手段及び前記特定項目表示手段のいずれか一方が表示する設定項目が選択されたことを条件に、前記全設定項目記憶手段の記憶内容に基づいて、この選択された設定項目の階層構造を示す階層情報を表示する階層情報表示手段（３４）と、
前記全設定項目表示手段及び前記特定項目表示手段の少なくとも一方によって表示された設定項目のうち試験者が選択した設定項目に関する試験を実行する試験実行手段（５１）と、
を備えたことを特徴とする移動端末試験装置。
【請求項７】
前記特定項目表示手段は、過去に設定された設定項目の履歴を表示するものであることを特徴とする請求項６に記載の移動端末試験装置。
【請求項８】
前記特定項目表示手段は、前記試験者が登録した設定項目を表示するものであることを特徴とする請求項６に記載の移動端末試験装置。
【請求項９】
所定の試験信号を移動端末（１）に出力して前記移動端末を試験する移動端末試験装置（１０）によって前記移動端末を試験する移動端末試験方法であって、
前記移動端末を試験するために設定可能な全ての設定項目を表示する全設定項目表示ステップ（Ｓ１２）と、
前記全ての設定項目のうち試験者が登録した設定項目を表示する登録項目表示ステップ（Ｓ２１）と、
前記全ての設定項目のうち過去に設定された設定項目の履歴を表示する履歴表示ステップ（Ｓ３１）と、
前記登録項目表示ステップ及び前記履歴表示ステップの少なくとも一方において表示する設定項目の表示順序及び設定項目の削除に関する処理の少なくとも一方を前記試験者の指示に従って処理する設定項目表示処理ステップ（Ｓ２３、Ｓ３３）と、
前記全設定項目表示ステップ、前記登録項目表示ステップ及び前記履歴表示ステップの少なくとも１つにおいて表示された設定項目のうち前記試験者が選択した設定項目に関する試験を実行する試験実行ステップ（Ｓ１５）と、
を含むことを特徴とする移動端末試験方法。
【請求項１０】
所定の試験信号を移動端末（１）に出力して前記移動端末を試験する移動端末試験装置（１０）によって前記移動端末を試験する移動端末試験方法であって、
前記移動端末を試験するために設定可能な全ての設定項目を階層化して記憶する全設定項目記憶手段（４１）から読み出した前記全ての設定項目を階層化して表示する全設定項目表示ステップ（Ｓ１２）と、
前記全ての設定項目のうち特定の設定項目を表示する特定項目表示ステップ（Ｓ２１、Ｓ３１）と、
前記全設定項目表示ステップ及び前記特定項目表示ステップのいずれか一方において表示する設定項目が選択されたことを条件に、前記全設定項目記憶手段の記憶内容に基づいて、この選択された設定項目の階層構造を示す階層情報を表示する階層情報表示ステップ（Ｓ２５）と、
前記全設定項目表示ステップ及び前記特定項目表示ステップの少なくとも一方によって表示された設定項目のうち試験者が選択した設定項目に関する試験を実行する試験実行ステップ（Ｓ１５）と、
を含むことを特徴とする移動端末試験方法。
【発明の詳細な説明】
【技術分野】
【０００１】
本発明は、移動端末を試験する移動端末試験装置及び移動端末試験方法に関する。
【背景技術】
【０００２】
従来、この種の装置としては、特許文献１記載の移動端末機送信パワー測定装置が知られている。
【０００３】
特許文献１記載のものは、移動端末に対して送信要求する送信パワー変化数及び送信パワー変化量を設定する設定手段と、移動端末に対して送信パワー変化数及び送信パワー変化量を要求する要求手段と、移動端末から送信される送信パワーに基づいて移動端末のスロットを検出するスロット検出手段と、各スロットの電力やスロット間の電力変化量を検出するスロット電力検出手段と、を備えている。
【０００４】
この構成により、特許文献１記載のものは、スロット電力検出手段の検出結果と設定手段の設定情報とを比較して移動端末の動作チェックが行えるようになっている。
【先行技術文献】
【特許文献】
【０００５】
【特許文献１】特許第３７０８４５８号公報
【発明の概要】
【発明が解決しようとする課題】
【０００６】
ところで、この種の移動端末の製造ラインにおいて、移動端末の動作試験を行う際に、試験者は移動端末試験装置に対して様々な試験を行うために設定する項目（以下「設定項目」という。）を設定する必要がある。特に、近年では１台の移動端末で複数の通信規格を利用可能にしたものが開発されており、設定項目がより一層多岐にわたるとともに、類似の設定項目が一段と増加している。
【０００７】
しかしながら、従来の移動端末試験装置では、設定項目を単に画面表示するのみであったので、試験者が所定の設定項目を探すのに手間がかかるという課題や、試験者が所定の設定項目に類似する設定項目を選択して誤った試験を行うおそれがあるという課題があった。
【０００８】
本発明は、前述のような事情に鑑みてなされたものであり、従来よりも簡易かつ正確に設定項目を設定して移動端末を試験することができる移動端末試験装置及び移動端末試験方法を提供することを目的とする。
【課題を解決するための手段】
【０００９】
本発明の請求項１に係る移動端末試験装置は、所定の試験信号を移動端末（１）に出力して前記移動端末を試験する移動端末試験装置（１０）であって、前記移動端末を試験するために設定可能な全ての設定項目を表示する全設定項目表示手段（３１）と、前記全ての設定項目のうち試験者が登録した設定項目を表示する登録項目表示手段（３２）と、前記全ての設定項目のうち過去に設定された設定項目の履歴を表示する履歴表示手段（３３）と、前記登録項目表示手段及び前記履歴表示手段の少なくとも一方が表示する設定項目の表示順序及び設定項目の削除に関する処理の少なくとも一方を前記試験者の指示に従って処理する設定項目表示処理手段（３５）と、前記全設定項目表示手段、前記登録項目表示手段及び前記履歴表示手段の少なくとも１つによって表示された設定項目のうち前記試験者が選択した設定項目に関する試験を実行する試験実行手段（５１）と、を備えた構成を有している。
【００１０】
この構成により、本発明の請求項１に係る移動端末試験装置は、設定項目表示処理手段が、登録項目表示手段及び履歴表示手段の少なくとも一方が表示する設定項目の表示順序及び設定項目の削除に関する処理の少なくとも一方を試験者の指示に従って処理するので、設定項目の表示が試験者の好みに応じたカスタマイズされた表示となる。
【００１１】
したがって、試験者は設定項目が単に並べられたものよりも簡易かつ正確に設定項目を設定することができ、誤った設定を行うおそれが減少するので、本発明の請求項１に係る移動端末試験装置は、従来よりも簡易かつ正確に設定項目を設定して移動端末を試験することができる。
【００１２】
ここで、前記設定項目表示処理手段は、前記試験者が過去に使用した設定項目の使用頻度に基づいて、前記登録項目表示手段及び前記履歴表示手段の少なくとも一方が表示する設定項目の表示順序を並び替えるものであることが好ましい。
【００１３】
また、前記設定項目表示処理手段は、前記試験者が過去に使用した設定項目が選択された時刻を示す選択時刻に基づいて、前記登録項目表示手段及び前記履歴表示手段の少なくとも一方が表示する設定項目の表示順序を並び替えるものであることが好ましい。
【００１４】
また、前記設定項目表示処理手段は、予め定められた設定項目のグループごとに、前記登録項目表示手段及び前記履歴表示手段の少なくとも一方が表示する設定項目の表示順序を並び替えるものであることが好ましい。
【００１５】
また、前記設定項目表示処理手段は、前記登録項目表示手段及び前記履歴表示手段の少なくとも一方が表示する設定項目のうち前記試験者が指定した設定項目を消去するものであることが好ましい。
【００１６】
本発明の請求項６に係る移動端末試験装置は、所定の試験信号を移動端末（１）に出力して前記移動端末を試験する移動端末試験装置（１０）であって、前記移動端末を試験するために設定可能な全ての設定項目を階層化して記憶する全設定項目記憶手段（４１）と、前記全設定項目記憶手段に記憶された前記全ての設定項目を階層化して表示する全設定項目表示手段（３１）と、前記全ての設定項目のうち特定の設定項目を表示する特定項目表示手段（３２、３３）と、前記全設定項目表示手段及び前記特定項目表示手段のいずれか一方が表示する設定項目が選択されたことを条件に、前記全設定項目記憶手段の記憶内容に基づいて、この選択された設定項目の階層構造を示す階層情報を表示する階層情報表示手段（３４）と、前記全設定項目表示手段及び前記特定項目表示手段の少なくとも一方によって表示された設定項目のうち試験者が選択した設定項目に関する試験を実行する試験実行手段（５１）と、を備えた構成を有している。
【００１７】
この構成により、本発明の請求項６に係る移動端末試験装置は、階層情報表示手段が、全設定項目表示手段及び特定項目表示手段のいずれか一方が表示する設定項目が選択されたことを条件に階層情報を表示するので、誤った設定を行うおそれが減少し、従来よりも簡易かつ正確に設定項目を設定して移動端末を試験することができる。
【００１８】
ここで、前記特定項目表示手段は、過去に設定された設定項目の履歴を表示するものであることが好ましい。
【００１９】
また、前記特定項目表示手段は、前記試験者が登録した設定項目を表示するものであることが好ましい。
【００２０】
本発明の請求項９に係る移動端末試験方法は、所定の試験信号を移動端末（１）に出力して前記移動端末を試験する移動端末試験装置（１０）によって前記移動端末を試験する移動端末試験方法であって、前記移動端末を試験するために設定可能な全ての設定項目を表示する全設定項目表示ステップ（Ｓ１２）と、前記全ての設定項目のうち試験者が登録した設定項目を表示する登録項目表示ステップ（Ｓ２１）と、前記全ての設定項目のうち過去に設定された設定項目の履歴を表示する履歴表示ステップ（Ｓ３１）と、前記登録項目表示ステップ及び前記履歴表示ステップの少なくとも一方において表示する設定項目の表示順序及び設定項目の削除に関する処理の少なくとも一方を前記試験者の指示に従って処理する設定項目表示処理ステップ（Ｓ２３、Ｓ３３）と、前記全設定項目表示ステップ、前記登録項目表示ステップ及び前記履歴表示ステップの少なくとも１つにおいて表示された設定項目のうち前記試験者が選択した設定項目に関する試験を実行する試験実行ステップ（Ｓ１５）と、を含む構成を有している。
【００２１】
この構成により、本発明の請求項９に係る移動端末試験方法は、設定項目表示処理ステップにおいて、登録項目表示ステップ及び履歴表示ステップの少なくとも一方で表示する設定項目の表示順序及び設定項目の削除に関する処理の少なくとも一方を試験者の指示に従って処理するので、設定項目の表示が試験者の好みに応じたカスタマイズされた表示となる。
【００２２】
したがって、試験者は設定項目が単に並べられたものよりも簡易かつ正確に設定項目を設定することができ、誤った設定を行うおそれが減少するので、本発明の請求項９に係る移動端末試験方法は、従来よりも簡易かつ正確に設定項目を設定して移動端末を試験することができる。
【００２３】
本発明の請求項１０に係る移動端末試験方法は、所定の試験信号を移動端末（１）に出力して前記移動端末を試験する移動端末試験装置（１０）によって前記移動端末を試験する移動端末試験方法であって、前記移動端末を試験するために設定可能な全ての設定項目を階層化して記憶する全設定項目記憶手段（４１）から読み出した前記全ての設定項目を階層化して表示する全設定項目表示ステップ（Ｓ１２）と、前記全ての設定項目のうち特定の設定項目を表示する特定項目表示ステップ（Ｓ２１、Ｓ３１）と、前記全設定項目表示ステップ及び前記特定項目表示ステップのいずれか一方において表示する設定項目が選択されたことを条件に、前記全設定項目記憶手段の記憶内容に基づいて、この選択された設定項目の階層構造を示す階層情報を表示する階層情報表示ステップ（Ｓ２５）と、前記全設定項目表示ステップ及び前記特定項目表示ステップの少なくとも一方によって表示された設定項目のうち試験者が選択した設定項目に関する試験を実行する試験実行ステップ（Ｓ１５）と、を含む構成を有している。
【００２４】
この構成により、本発明の請求項１０に係る移動端末試験方法は、階層情報表示ステップにおいて、全設定項目表示ステップ及び特定項目表示ステップのいずれか一方で表示する設定項目が選択されたことを条件に階層情報を表示するので、誤った設定を行うおそれが減少し、従来よりも簡易かつ正確に設定項目を設定して移動端末を試験することができる。
【発明の効果】
【００２５】
本発明は、従来よりも簡易かつ正確に設定項目を設定して移動端末を試験することができるという効果を有する移動端末試験装置及び移動端末試験方法を提供することができるものである。
【図面の簡単な説明】
【００２６】
【図１】本発明に係る移動端末試験装置の一実施形態におけるブロック構成図である。
【図２】本発明に係る移動端末試験装置の一実施形態におけるタッチパネルの外観図である。
【図３】本発明に係る移動端末試験装置の一実施形態における全設定項目記憶部が記憶する設定項目の一例を示す図である。
【図４】本発明に係る移動端末試験装置の一実施形態における全設定項目表示画面制御部、登録項目表示画面制御部及び履歴表示画面制御部が表示する画面例である。
【図５】本発明に係る移動端末試験装置の一実施形態において、全設定項目表示画面の表示例である。
【図６】本発明に係る移動端末試験装置の一実施形態において、登録項目表示画面の表示例である。
【図７】本発明に係る移動端末試験装置の一実施形態において、履歴表示画面の表示例である。
【図８】本発明に係る移動端末試験装置の一実施形態において、設定項目表示処理部が表示する履歴表示管理ウィンドウである。
【図９】本発明に係る移動端末試験装置の一実施形態におけるフローチャートである。
【図１０】本発明に係る移動端末試験装置の一実施形態において、登録項目表示画面を使用して設定項目の設定処理を行う例のフローチャートである。
【図１１】本発明に係る移動端末試験装置の一実施形態において、履歴表示画面を使用して設定項目の設定処理を行う例のフローチャートである。
【発明を実施するための形態】
【００２７】
以下、本発明の実施形態について図面を用いて説明する。
【００２８】
まず、本発明に係る移動端末試験装置の一実施形態における構成について図１〜図３に基づき説明する。
【００２９】
図１に示すように、本実施形態における移動端末試験装置１０は、ＵＥ（User Equipment：例えば移動端末）１を試験するものであって、タッチパネル２０、表示操作制御装置３０、設定管理装置４０、試験実行装置５０を備えている。
【００３０】
移動端末試験装置１０は、図示しないＣＰＵ（Central Processing Unit）と、ＲＯＭ（Read Only Memory）と、ＲＡＭ（Random Access Memory）と、各種インタフェースが接続される入出力回路等を備えたマイクロコンピュータを含む。移動端末試験装置１０は、ＲＯＭに予め格納された制御プログラムを実行させることにより、マイクロコンピュータを、タッチパネル２０、表示操作制御装置３０、設定管理装置４０、試験実行装置５０等の機能部として機能させるようになっている。
【００３１】
タッチパネル２０は、試験者のタッチ操作に応じて操作信号を出力する操作部２１と、この操作部２１に重ねて配置され、液晶ディスプレイからなる表示部２２と、を備えている。操作部２１は、タッチ操作を検出すると操作位置を示す操作信号を表示操作制御装置３０に出力するようになっている。表示部２２は、表示操作制御装置３０からの表示制御信号に基づいて所定の画面を表示するようになっている。
【００３２】
なお、タッチパネル２０に対するタッチ操作は、画面を試験者が指で所定回数叩く（以下「タップする」という。）操作や、画面上に指を接触させた状態で指をスライドさせる操作等を含む。
【００３３】
タッチパネル２０は、例えば図２に示すような外観を有している。図２において、タッチパネル２０は、設定項目を設定するための１つ以上のウィンドウが表示される設定項目設定エリア２０１と、試験結果を表示する試験結果表示エリア２０２と、で構成されている。設定項目設定エリア２０１には、設定項目や設定項目ごとに定める試験の値（以下「試験パラメータ値」という。）の設定内容を決定するための決定ボタン２０１ａと、設定内容をキャンセルするためのキャンセルボタン２０１ｂと、設定した設定項目及び試験パラメータ値で試験を実行するための試験実行ボタン２０１ｃと、が表示されている。
【００３４】
表示操作制御装置３０は、タッチパネル２０に対して所定の表示画面を表示する制御やタッチ操作に関する制御を実行するものであって、全設定項目表示画面制御部３１、登録項目表示画面制御部３２、履歴表示画面制御部３３、設定入力画面制御部３４、設定項目表示処理部３５、試験結果画面制御部３６を備えている。
【００３５】
全設定項目表示画面制御部３１は、移動端末試験装置１０が試験可能な全ての試験についての設定項目のデータを設定管理装置４０から取得し、全設定項目を含む全設定項目表示画面を設定項目設定エリア２０１に表示する表示制御を実行するようになっている。この全設定項目表示画面制御部３１は、本発明に係る全設定項目表示手段を構成する。なお、後述するように、設定管理装置４０の全設定項目記憶部４１は、全設定項目を階層化して記憶している。
【００３６】
登録項目表示画面制御部３２は、試験者が過去に登録した登録項目を含む登録項目表示画面を設定項目設定エリア２０１に表示する表示制御を実行するようになっている。この登録項目表示画面制御部３２は、本発明に係る登録項目表示手段及び特定項目表示手段を構成する。
【００３７】
履歴表示画面制御部３３は、過去に設定された設定項目及び試験パラメータ値の履歴を表示する履歴表示画面を設定項目設定エリア２０１に表示する表示制御を実行するようになっている。この履歴表示画面制御部３３は、本発明に係る履歴表示手段及び特定項目表示手段を構成する。
【００３８】
設定入力画面制御部３４は、設定項目や試験パラメータ値（以下、両者を総称して「設定情報」という。）の入力に関する各画面の表示制御を実行するようになっている。また、設定入力画面制御部３４は、設定項目の階層構造を示す情報（以下「階層情報」という。）を設定項目設定エリア２０１に表示するようになっている。この設定入力画面制御部３４は、本発明に係る階層情報表示手段を構成する。
【００３９】
設定項目表示処理部３５は、登録項目表示画面及び履歴表示画面に表示される設定項目について、設定項目の表示順序及び設定項目の削除に関する処理の少なくとも一方を試験者の指示に従って処理するようになっている。この設定項目表示処理部３５は、本発明に係る設定項目表示処理手段を構成する。
【００４０】
試験結果画面制御部３６は、試験実行装置５０から試験結果のデータを受け取り、そのデータを試験結果表示エリア２０２に表示する表示制御を実行するようになっている。
【００４１】
設定管理装置４０は、移動端末試験装置１０が試験可能な全ての試験についての設定項目のデータを記憶する全設定項目記憶部４１と、試験者が過去に登録した登録項目のデータを記憶する登録項目記憶部４２と、試験者が過去に設定した設定項目の履歴のデータを記憶する履歴記憶部４３と、試験者が試験前に設定した設定情報のデータを記憶する設定情報記憶部４４と、を備えている。
【００４２】
ここで、全設定項目記憶部４１が記憶する設定項目の一例を図３に示す。図３に示すように、全設定項目記憶部４１は、通信規格別に、大分類及び小分類ごとに予め設定された設定項目のデータを階層化して記憶するようになっている。例えば、全設定項目記憶部４１は、通信規格ＬＴＥ（Long Term Evolution）の上位階層である大分類「Ｃｏｍｍｏｎ：共通」の下層の小分類「Ｆｒｅｑｕｅｎｃｙ：周波数」においては、最下層の設定項目として「Ｆｒａｍｅ  Ｓｔｒｕｃｔｕｒｅ：フレーム構造」、「Ｃｈａｎｎｅｌ  Ｂａｎｄｗｉｄｔｈ：チャネル帯域幅」、「ＵＬ  Ｃｈａｎｎｅｌ：アップリンクチャネル」、「ＤＬ  Ｃｈａｎｎｅｌ：ダウンリンクチャネル」、「Ｏｐｅｒａｔｉｏｎ  Ｂａｎｄ：動作周波数帯域」を記憶するものである。この全設定項目記憶部４１は、例えば工場出荷時に定められた試験パラメータ値を設定項目ごとに記憶する構成でもよい。この全設定項目記憶部４１は、本発明に係る全設定項目記憶手段を構成する。
【００４３】
登録項目記憶部４２は、試験者が、例えば通信規格ＬＴＥの大分類「Ｃｏｍｍｏｎ」の小分類「Ｆｒｅｑｕｅｎｃｙ」の下層である設定項目「Ｆｒａｍｅ  Ｓｔｒｕｃｔｕｒｅ」を登録した場合、設定項目「Ｆｒａｍｅ  Ｓｔｒｕｃｔｕｒｅ」を、階層情報である通信規格ＬＴＥ、大分類「Ｃｏｍｍｏｎ」及び小分類「Ｆｒｅｑｕｅｎｃｙ」と関連付けて記憶するようになっている。
【００４４】
履歴記憶部４３は、前述と同様に、試験者が、例えば設定項目として「Ｆｒａｍｅ  Ｓｔｒｕｃｔｕｒｅ」を選択した場合、設定項目「Ｆｒａｍｅ  Ｓｔｒｕｃｔｕｒｅ」を、その階層情報と関連付けて記憶するようになっている。
【００４５】
設定情報記憶部４４は、表示操作制御装置３０の設定入力画面制御部３４から、試験者が試験前に設定した設定情報を取得して記憶するようになっている。
【００４６】
試験実行装置５０は、設定項目に関する試験実行を制御する試験制御部５１と、ＵＥ１に送信する無線周波数（ＲＦ）の試験信号を発生する信号発生部５２と、ＵＥ１からの応答信号を解析する信号解析部５３と、例えば同軸ケーブルを介してＵＥ１に結合される結合器５４と、を備えている。なお、試験制御部５１は、本発明に係る試験実行手段を構成する。
【００４７】
次に、表示操作制御装置３０において、全設定項目表示画面制御部３１、登録項目表示画面制御部３２及び履歴表示画面制御部３３が設定項目設定エリア２０１（図２参照）に表示する各画面例について図４に基づき説明する。
【００４８】
図４（ａ）は、全設定項目表示画面制御部３１が表示する全設定項目表示画面３１０の表示例である。図４（ａ）に示すように、全設定項目表示画面３１０は、ウィンドウの全項目タブを試験者がタップすることによって表示される画面であって、全設定項目を階層ごとにツリー表示する全項目表示エリア３１１と、設定項目を縦方向にスクロールするスクロールバー３１２と、設定項目を検索するための検索キーを入力する入力ボックス３１３と、試験者が設定項目を登録する際にタップする登録ボタン３１４と、階層情報を示す階層情報表示画面３１５と、含む。全項目表示エリア３１１は、設定項目を表示する設定項目表示欄３１１ａと、既定値又は前回設定値等の試験パラメータ値を表示する試験パラメータ値表示欄３１１ｂと、を含む。
【００４９】
図４（ｂ）は、登録項目表示画面制御部３２が表示する登録項目表示画面３２０の表示例である。図４（ｂ）に示すように、登録項目表示画面３２０は、ウィンドウの登録項目タブを試験者がタップすることによって表示される画面であって、試験者が登録した設定項目及び試験パラメータ値を例えば現在時刻に近い登録順に表示する登録項目表示エリア３２１を含む。登録項目表示エリア３２１は、設定項目を表示する設定項目表示欄３２１ａ及び試験パラメータ値を表示する試験パラメータ値表示欄３２１ｂを含む。
【００５０】
ここで、登録項目表示画面３２０に登録される設定項目は、インターネット等を利用したウェブページを閲覧するために画面表示させるウェブブラウザにおいて、いわゆる「お気に入り」や「ブックマーク」と称されるものに類似している。しかしながら、次の点で両者は大きく異なる。
【００５１】
すなわち、登録項目表示画面３２０に登録される設定項目は、ＵＥ１の動作試験を行うために非常に似かよった紛らわしいものが多々存在しているが、それらは有限であって移動端末試験装置１０が全て把握できる（すなわち、全設定項目記憶部４１に予め記憶されている）ので、試験者が登録する設定項目を移動端末試験装置１０が管理することは容易である。これに対し、ウェブブラウザは、その使用者が「お気に入り」等として何を登録するかを把握するのは不可能である。また、ウェブブラウザでは、「お気に入り」等として登録されるものが紛らわしい表示とはならないので、使用者は登録情報を誤って選択することは少ない。
【００５２】
なお、全設定項目表示画面３１０と同様な構成要素の符号の図示を省略している。また、図４（ｂ）において、例えば「Ｆｒａｍｅ  Ｓｔｒｕｃｔｕｒｅ」は、その試験パラメータ値としての「ＦＤＤ（Frequency Division Duplex:周波数分割二重）」とともに登録されたことを示しているが、これに加えて例えば「ＴＤＤ（Time Division Duplex：時分割二重）」も登録された場合は、両者が登録項目表示エリア３２１に表示されることとなる。また、図４（ｂ）において、設定項目表示欄３２１ａ及び試験パラメータ値表示欄３２１ｂの両方を表示する例を挙げたが、設定項目表示欄３２１ａのみを表示する構成としてもよい。
【００５３】
図４（ｃ）は、履歴表示画面制御部３３が表示する履歴表示画面３３０の表示例である。図４（ｃ）に示すように、履歴表示画面３３０は、ウィンドウの履歴タブを試験者がタップすることによって表示される画面であって、試験者が設定した設定項目及び試験パラメータ値を例えば使用頻度順の履歴で表示する履歴表示エリア３３１を含む。履歴表示エリア３３１は、設定項目を表示する設定項目表示欄３３１ａ及び試験パラメータ値を表示する試験パラメータ値表示欄３３１ｂを含む。
【００５４】
なお、全設定項目表示画面３１０と同様な構成要素の符号の図示を省略している。また、図４（ｃ）において、設定項目表示欄３３１ａ及び試験パラメータ値表示欄３３１ｂの両方を表示する例を挙げたが、設定項目表示欄３３１ａのみを表示する構成としてもよい。
【００５５】
次に、表示操作制御装置３０が実行する各画面の表示制御について説明する。
【００５６】
まず、全設定項目表示画面３１０に対する表示操作制御装置３０の表示制御について図５に基づき説明する。
【００５７】
図５は、全設定項目表示画面３１０に表示された設定項目のうち「Ｆｒａｍｅ  Ｓｔｒｕｃｔｕｒｅ」の表示領域を試験者がタップし、該当箇所にカーソル３１６が表示された例を示している。ここで、設定項目「Ｆｒａｍｅ  Ｓｔｒｕｃｔｕｒｅ」は、通信規格ＬＴＥの大分類「Ｃｏｍｍｏｎ」の下層の小分類「Ｆｒｅｑｕｅｎｃｙ」の下層の設定項目である。この場合、設定入力画面制御部３４は、「ＬＴＥ  Ｃｏｍｍｏｎ  Ｆｒｅｑｕｅｎｃｙ」という階層情報を階層情報表示画面３１５に表示する。その結果、試験者は、タップにより選択した設定項目が、ＬＴＥ、Ｃｏｍｍｏｎ、Ｆｒｅｑｕｅｎｃｙの下層の設定項目「Ｆｒａｍｅ  Ｓｔｒｕｃｔｕｒｅ」であって、他の通信規格（例えばＷ−ＣＤＭＡ）における設定項目「Ｆｒａｍｅ  Ｓｔｒｕｃｔｕｒｅ」ではないことを明確かつ瞬時に知ることができ、誤った設定項目を選択するおそれがなくなる。
【００５８】
また、図５に示した状態において、試験者が指定した設定項目「Ｆｒａｍｅ  Ｓｔｒｕｃｔｕｒｅ」の試験パラメータ値の領域には「ＦＤＤ」が表示されている。この「ＦＤＤ」の表示領域を試験者がタップすると、設定入力画面制御部３４は、試験パラメータ値を選択するための試験値選択ウィンドウ３１７を表示するようになっている。試験値選択ウィンドウ３１７には、「ＦＤＤ」及び「ＴＤＤ」が表示されており、試験値選択ウィンドウ３１７において試験者がタップした方の試験パラメータ値が設定される。この試験値選択ウィンドウ３１７の表示位置は、例えば試験者が試験値選択ウィンドウ３１７の表示領域を指でスライドさせることにより任意に設定できる。
【００５９】
なお、設定項目「Ｆｒａｍｅ  Ｓｔｒｕｃｔｕｒｅ」以外の設定項目の試験パラメータ値も、試験値選択ウィンドウ３１７と同様なウィンドウにより、試験者が選択できる構成となっている。また、試験パラメータ値として周波数や電圧等の数値を入力する際には、設定入力画面制御部３４は、例えばテンキーを設定項目設定エリア２０１に表示するようになっている。
【００６０】
次に、登録項目表示画面３２０に対する表示操作制御装置３０の表示制御について図６に基づき説明する。
【００６１】
図６は、登録項目表示画面３２０に表示された登録項目のうち、「Ｆｒａｍｅ  Ｓｔｒｕｃｔｕｒｅ」の表示領域を試験者がタップし、該当箇所にカーソル３２２が表示された例を示している。この場合、設定入力画面制御部３４は、登録項目表示画面３２０の近傍に、全設定項目表示画面３１０（図４（ａ）参照）における「Ｆｒａｍｅ  Ｓｔｒｕｃｔｕｒｅ」の階層情報を示す階層情報表示画面３２３を表示する。この階層情報表示画面３２３においても「Ｆｒａｍｅ  Ｓｔｒｕｃｔｕｒｅ」の表示位置にカーソル３２４が表示されている。この階層情報表示画面３２３の表示位置は、例えば試験者が階層情報表示画面３２３の表示領域を指でスライドさせることにより任意に設定できる。
【００６２】
また、階層情報表示画面３２３に付随して、前述の階層情報表示画面３１５（図４（ａ）参照）と同様な階層情報表示画面３２５が表示されており、この階層情報表示画面３２５に階層情報が表示されている。その結果、試験者は、指定した登録項目が、ＬＴＥ、Ｃｏｍｍｏｎ、Ｆｒｅｑｕｅｎｃｙの下層の設定項目「Ｆｒａｍｅ  Ｓｔｒｕｃｔｕｒｅ」であって、他の通信規格における設定項目「Ｆｒａｍｅ  Ｓｔｒｕｃｔｕｒｅ」ではないことを明確かつ瞬時に知ることができ、誤った設定項目を選択するおそれがなくなる。
【００６３】
さらに、試験者が指定した設定項目「Ｆｒａｍｅ  Ｓｔｒｕｃｔｕｒｅ」の試験パラメータ値の「ＦＤＤ」の表示領域を試験者がタップした場合に、設定入力画面制御部３４が表示する試験値選択ウィンドウ３２６が表示されている。
【００６４】
なお、登録項目表示画面制御部３２が、階層情報表示画面３２３及び３２５のいずれか一方により、階層情報を表示する構成としてもよい。
【００６５】
次に、履歴表示画面３３０に対する表示操作制御装置３０の表示制御について図７に基づき説明する。
【００６６】
図７の中央には、履歴表示画面３３０に表示された設定項目「Ｆｒａｍｅ  Ｓｔｒｕｃｔｕｒｅ」の表示領域を試験者がタップし、該当箇所にカーソル３３２が表示された例が示されている。この操作に続けて試験者がウィンドウの全項目タブをタップすると、設定入力画面制御部３４は、図７の左側に示すような全設定項目表示画面３１０を表示する。すなわち、設定入力画面制御部３４は、試験者がタップした設定項目「Ｆｒａｍｅ  Ｓｔｒｕｃｔｕｒｅ」の表示領域にカーソル３１６を表示した全設定項目表示画面３１０を表示するとともに、階層情報表示画面３１５に、「ＬＴＥ  Ｃｏｍｍｏｎ  Ｆｒｅｑｕｅｎｃｙ」という階層情報を表示する。その結果、試験者は、指定した登録項目が、ＬＴＥ、Ｃｏｍｍｏｎ、Ｆｒｅｑｕｅｎｃｙの下層の設定項目「Ｆｒａｍｅ  Ｓｔｒｕｃｔｕｒｅ」であって、他の通信規格における設定項目「Ｆｒａｍｅ  Ｓｔｒｕｃｔｕｒｅ」ではないことを明確かつ瞬時に知ることができ、誤った設定項目を選択するおそれがなくなる。
【００６７】
一方、履歴表示画面３３０に表示された設定項目「Ｆｒａｍｅ  Ｓｔｒｕｃｔｕｒｅ」の表示領域を試験者がタップし、該当箇所にカーソル３３２が表示された後に続けて、試験者が登録ボタン３１４をタップすると、登録項目表示画面制御部３２は、図７の右側に示すような登録項目表示画面３２０を表示するとともに、試験者がタップした設定項目「Ｆｒａｍｅ  Ｓｔｒｕｃｔｕｒｅ」とその階層情報とを登録項目記憶部４２に記憶する。なお、このような設定項目の登録は、全設定項目表示画面３１０から行うことも可能である。
【００６８】
次に、履歴表示画面３３０に対する設定項目表示処理部３５の機能について図８に基づき説明する。
【００６９】
図８に示すように、設定項目表示処理部３５は、履歴表示を管理するための履歴表示管理ウィンドウ３３３を表示するようになっている。履歴表示管理ウィンドウ３３３は、例えば履歴表示画面３３０のウィンドウの履歴タブを試験者が続けて２回タップすることにより表示される。履歴表示管理ウィンドウ３３３は、履歴情報を並べ替える条件を設定する並替条件設定エリア３３４と、所定の履歴情報を消去するための消去設定エリア３３５と、を含む。
【００７０】
並替条件設定エリア３３４には、履歴情報を並べ替える条件として、現在時刻に対して最も過去のものから現在に向かって表示する「古い順」、現在時刻に対して最も近いものから過去に向かって表示する「新しい順」、使用頻度が最も高いものから表示する「使用頻度順」、設定項目の文字列のアルファベット順に表示する「アルファベット順」、予め定められたグループ別（カテゴリ別）に表示する「グループ別」を選択するためのチェックボックスが設けられている。なお、例えば、「使用頻度順」かつ「グループ別」のように、複数の並べ替え条件を同時に選択することも可能である。
【００７１】
図８においては、現在「使用頻度順」が選択されていることを示している。「使用頻度順」を選択することにより、試験者の使用頻度が高い設定項目ほど履歴表示画面３３０の上位に位置することなり、試験者は、設定項目の設定がより一層容易となる。また、「古い順」、「新しい順」、「アルファベット順」等を選択することにより、試験者は、例えば履歴表示画面３３０における設定項目の管理が容易となる。また、「グループ別」を選択することにより、試験者は、例えば擬似基地局としてのみ用いる設定項目を容易かつ正確に選択することができることとなる。
【００７２】
なお、グループ別に表示するとは、例えば、アップリンクに関する設定項目のグループと、ダウンリンクに関する設定項目のグループと、を予め決めておいて、試験者がグループ別に選択して表示させることをいう。
【００７３】
消去設定エリア３３５には、一例として、選択ボタン３３５ａ、頻度ボタン３３５ｂ、期間ボタン３３５ｃが表示されている。
【００７４】
選択ボタン３３５ａを試験者がタップすると、設定項目表示処理部３５は、試験者が所望する任意の履歴情報を選択して消去することができるようプログラミングされている。
【００７５】
頻度ボタン３３５ｂを試験者がタップすると、設定項目表示処理部３５は、過去に設定した設定項目のうち任意の回数以下の設定を行った設定項目の履歴情報を消去することができるようプログラミングされている。
【００７６】
期間ボタン３３５ｃを試験者がタップすると、設定項目表示処理部３５は、試験者が過去に設定した設定項目のうち任意の期間（例えば３ヶ月以前）に設定を行った設定項目の履歴情報を消去することができるようプログラミングされている。
【００７７】
選択ボタン３３５ａ、頻度ボタン３３５ｂ、期間ボタン３３５ｃにより、試験者が履歴情報を消去する指示を行った場合は、設定項目表示処理部３５は、設定管理装置４０の履歴記憶部４３から該当する履歴情報を消去するようプログラミングされている。
【００７８】
前述のように、設定項目表示処理部３５が、設定項目の並べ替えの処理や、所定の設定項目の消去の処理を試験者の指示に従って行うことにより、設定項目の表示が試験者の好みに応じたカスタマイズされた表示となるので、試験者は設定項目が単に並べられたものよりも簡易かつ正確に設定項目を設定することができ、誤った設定を行うおそれが減少することとなる。
【００７９】
なお、例えば、履歴表示画面３３０に表示された設定項目「Ｆｒａｍｅ  Ｓｔｒｕｃｔｕｒｅ」の表示領域を試験者がタップすると、図６と同様に、階層情報表示画面３２３及び３２５のいずれか一方が表示される。また、図６と同様に、例えば、設定項目「Ｆｒａｍｅ  Ｓｔｒｕｃｔｕｒｅ」の試験パラメータ値の「ＦＤＤ」の表示領域を試験者がタップした場合に、設定入力画面制御部３４が試験値選択ウィンドウ３２６を表示する。また、図６に示した登録項目表示画面３２０の表示においても、図８と同様に、登録項目の管理を行うための登録項目表示管理画面を表示して登録項目の管理ができる。
【００８０】
次に、本実施形態における移動端末試験装置１０の動作について図９に示すフローチャートを中心に説明する。
【００８１】
表示操作制御部３０の全設定項目表示画面制御部３１、登録項目表示画面制御部３２及び履歴表示画面制御部３３（以下「全設定項目表示画面制御部３１等」という。）は、それぞれ、設定管理装置４０の全設定項目記憶部４１、登録項目記憶部４２及び履歴記憶部４３から全設定項目、登録項目及び履歴（以下「全設定項目等」という。）のデータを読み出す（ステップＳ１１）。
【００８２】
全設定項目表示画面制御部３１等は、タッチパネル２０の表示部２２の設定項目設定エリア２０１に全設定項目等を表示する（ステップＳ１２）。例えば、全設定項目表示画面制御部３１は、図４（ａ）に示した全設定項目表示画面３１０を設定項目設定エリア２０１に表示する。この全設定項目表示画面３１０において、試験者が履歴タブをタップした場合は、履歴表示画面制御部３３は、履歴表示画面３３０を設定項目設定エリア２０１に表示する。
【００８３】
タッチパネル２０の操作部２１が試験者のタッチ操作を検出することにより、設定項目が設定される（ステップＳ２０）。具体的な説明は後述する。
【００８４】
表示操作制御装置３０の設定入力画面制御部３４は、試験者のタッチパネル２０のタッチ操作に応じて試験パラメータ値を設定する（ステップＳ１３）。
【００８５】
設定入力画面制御部３４は、新たな設定項目の設定があるか否かを判断する（ステップＳ１４）。例えば、設定入力画面制御部３４は、試験者が設定項目の表示エリアを新たにタップした場合は、新たな設定項目があると判断し、ステップＳ１０に戻る。一方、例えば、図２に示した試験実行ボタン２０１ｃを試験者がタップした場合は、設定入力画面制御部３４は、新たな設定項目はないと判断し、設定された設定情報により試験実行装置５０にＵＥ１の試験を実行させる（ステップＳ１５）。
【００８６】
具体的には、設定入力画面制御部３４は、試験実行ボタン２０１ｃがタップされた場合は、設定情報の入力終了を示す設定終了信号を試験制御部５１に送り、試験制御部５１は、設定管理装置４０の設定情報記憶部４４から設定情報を入手して、設定情報に基づいた試験信号を信号発生部５２に発生させてＵＥ１に対する試験を実行する。
【００８７】
試験実行装置５０は、試験が終了すると、信号解析部５３が解析した試験結果のデータを表示操作制御装置３０に出力し、試験結果画面制御部３６は、タッチパネル２０の表示部２２の試験結果表示エリア２０２に試験結果を表示する（ステップＳ１６）。
【００８８】
次に、図９に示した設定項目の設定処理（ステップＳ２０）について、試験者が登録項目表示画面３２０（図４（ｂ）参照）を使用して設定項目の設定処理を行う例を挙げ、図１０に示すフローチャートを中心に説明する。
【００８９】
登録項目表示画面制御部３２が登録項目表示画面３２０を設定項目設定エリア２０１に表示すると（ステップＳ２１）、登録項目表示画面３２０に設定項目が列挙表示される（ステップＳ２２）。例えば、設定項目設定エリア２０１に全設定項目表示画面３１０が表示されている際に試験者が登録タブをタップすると、登録項目表示画面制御部３２は、登録項目表示画面３２０を設定項目設定エリア２０１に表示する。
【００９０】
ここで、図８に示した履歴表示画面３３０での履歴表示管理と同様に、試験者は、登録項目表示の管理を行うための登録項目表示管理画面を表示することにより登録項目表示の管理（ステップＳ２３）ができる。すなわち、試験者は、所望する条件での登録項目の並べ替えや、登録項目の削除等を実行することが可能である。なお、このステップＳ２３は、試験者が任意に実施するステップであり、省略される場合がある。
【００９１】
設定項目の１つの表示領域を試験者がタップすると、１つの設定項目が選択される（ステップＳ２４）。設定入力画面制御部３４は、選択された設定項目の情報を取得するとともに、登録項目表示画面３２０の近傍に階層情報表示画面を表示する（ステップＳ２５）。例えば、図６に示したように、試験者が「Ｆｒａｍｅ  Ｓｔｒｕｃｔｕｒｅ」を選択した場合は、該当箇所にカーソル３２２を表示するとともに、試験者が選択した設定項目「Ｆｒａｍｅ  Ｓｔｒｕｃｔｕｒｅ」の階層情報を階層情報表示画面３２３及び階層情報表示画面３２５により示す。
【００９２】
設定入力画面制御部３４は、選択された設定項目が試験者の所望する設定項目であるか否かを判断する（ステップＳ２６）。例えば、設定入力画面制御部３４は、図２に示した決定ボタン２０１ａを試験者がタップした場合は、試験者の所望する設定項目であると判断し、メインフローに戻る。一方、設定入力画面制御部３４は、例えば、図２に示したキャンセルボタン２０１ｂを試験者がタップした場合は、試験者の所望する設定項目ではないと判断し、ステップＳ２４に戻る。
【００９３】
次に、図９に示した設定項目の設定処理（ステップＳ２０）について、試験者が履歴表示画面３３０（図４（ｃ）参照）を使用して設定項目の設定処理を行う例を挙げ、図１１に示すフローチャートを中心に説明する。なお、ステップＳ２４〜Ｓ２６は、図１０と同様であるので説明を省略する。
【００９４】
履歴表示画面制御部３３が履歴表示画面３３０を設定項目設定エリア２０１に表示（ステップＳ３１）すると、履歴表示画面３３０に設定項目が列挙表示される（ステップＳ３２）。例えば、設定項目設定エリア２０１に全設定項目表示画面３１０が表示されている際に試験者が履歴タブをタップすると、履歴表示画面制御部３３は、履歴表示画面３３０を設定項目設定エリア２０１に表示する。
【００９５】
ここで、図８に示したように、試験者は、履歴表示の管理を行うための履歴表示管理画面３３３を表示することにより履歴表示の管理（ステップＳ３３）ができる。すなわち、試験者は、所望する条件での履歴の並べ替えや、任意の履歴の削除等を実行することが可能である。なお、このステップＳ３３は、試験者が任意に実施するステップであり、省略される場合がある。
【００９６】
以上のように、本実施形態における移動端末試験装置１０は、設定項目表示処理部３５が、登録項目表示画面制御部３２及び履歴表示画面制御部３３の少なくとも一方が表示する設定項目の表示順序及び設定項目の削除に関する処理の少なくとも一方を試験者の指示に従って処理するので、設定項目の表示が試験者の好みに応じたカスタマイズされた表示となる。
【００９７】
したがって、試験者は設定項目が単に並べられたものよりも簡易かつ正確に設定項目を設定することができ、誤った設定を行うおそれが減少するので、本実施形態における移動端末試験装置１０は、従来よりも簡易かつ正確に設定項目を設定して移動端末を試験することができる。
【００９８】
また、本実施形態における移動端末試験装置１０は、設定入力画面制御部３４が、全設定項目表示画面制御部３１、登録項目表示画面制御部３２及び履歴表示画面制御部３３のいずれか１つが表示する設定項目が選択されたことを条件に階層情報を表示するので、誤った設定を行うおそれが減少し、従来よりも簡易かつ正確に設定項目を設定して移動端末を試験することができる。
【産業上の利用可能性】
【００９９】
以上のように、本発明に係る移動端末試験装置は、従来よりも簡易かつ正確に設定項目を設定して移動端末を試験することができるという効果を有し、移動端末を試験する移動端末試験装置及び移動端末試験方法として有用である。
【符号の説明】
【０１００】
１  ＵＥ（移動端末）
１０  移動端末試験装置
２０  タッチパネル
２１  操作部
２２  表示部
３０  表示操作制御装置
３１  全設定項目表示画面制御部（全設定項目表示手段）
３２  登録項目表示画面制御部（登録項目表示手段、特定項目表示手段）
３３  履歴表示画面制御部（履歴表示手段、特定項目表示手段）
３４  設定入力画面制御部（階層情報表示手段）
３５  設定項目表示処理部（設定項目表示処理手段）
３６  試験結果画面制御部
４０  設定管理装置
４１  全設定項目記憶部（全設定項目記憶手段）
４２  登録項目記憶部
４３  履歴記憶部
４４  設定情報記憶部
５０  試験実行装置
５１  試験制御部（試験実行手段）
５２  信号発生部
５３  信号解析部
５４  結合器
【図１】
0005599857.tif 000002
【図２】
0005599857.tif 000003
【図３】
0005599857.tif 000004
【図４】
0005599857.tif 000005
【図５】
0005599857.tif 000006
【図６】
0005599857.tif 000007
【図７】
0005599857.tif 000008
【図８】
0005599857.tif 000009
【図９】
0005599857.tif 000010
【図１０】
0005599857.tif 000011
【図１１】
0005599857.tif 000012